【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
データキャリア駆動装置とデータキャリア装置とを備え、前記データキャリア駆動装置と前記データキャリア装置とが第１及び第２の接点を介してデータ通信を行うデータ通信システムであって、
前記データキャリア装置は、
前記第１の接点と前記第２の接点との間に直列に接続された整流素子及び容量素子を含み、前記第１の接点を介して前記データキャリア駆動装置から入力されたパルス電圧を整流及び平滑化して出力する整流平滑回路と、
前記データキャリア駆動装置から入力され、前記整流平滑回路に印加されている前記パルス電圧を検出するパルス検出部と、
前記整流平滑回路に接続され、当該整流平滑回路から出力される電圧を電源電圧として動作する第１の制御部であって、前記パルス検出部によって検出された前記パルス電圧のパルス幅に基づいて、前記データキャリア駆動装置から前記データキャリア装置へのダウンリンク送信データを特定する、前記第１の制御部と、を備え、
前記データキャリア駆動装置は、
前記第１の接点を介して前記データキャリア駆動装置から前記データキャリア装置に流れる電流を、前記データキャリア装置から前記データキャリア駆動装置へのアップリンク送信データに対応する出力電流として検出するための電流検出素子と、
前記第２の接点を介して前記データキャリア装置に出力される電圧を基準電圧として、ハイレベル電圧とローレベル電圧とを周期的に繰り返すパルス電圧を生成し、前記電流検出素子と前記第１の接点とを介して前記データキャリア装置に出力するパルス生成回路と、
前記パルス電圧の１周期ごとのパルス幅を前記ダウンリンク送信データに応じて設定するよう、前記パルス生成回路を制御する第２の制御部と、を備え、
前記第２の制御部は、
前記データキャリア装置に第１のデータを前記ダウンリンク送信データとして送信する場合には、前記パルス幅を、前記１周期において、前記ハイレベル電圧の期間が前記ローレベル電圧の期間以上の長さになる第１のパルス幅に設定するよう、前記パルス生成回路を制御し、
前記データキャリア装置に第２のデータを前記ダウンリンク送信データとして送信する場合には、前記パルス幅を、前記１周期において、前記ハイレベル電圧の期間が前記ローレベル電圧の期間以上の長さになり、かつ、前記第１のパルス幅よりも長い第２のパルス幅に設定するよう、前記パルス生成回路を制御する
ことを特徴とするデータ通信システム。
【請求項２】
前記データキャリア装置は、
前記第１の接点と前記第２の接点との間に前記整流平滑回路と並列に接続された、電流負荷と、
前記第１の接点と前記第２の接点との間に、前記整流平滑回路と並列に接続され、かつ、前記電流負荷と直列に接続されており、導通状態と非導通状態との間で切替可能なスイッチング素子と
を更に備え、
前記第１の制御部は、
前記アップリンク送信データに応じて、前記スイッチング素子の状態を前記導通状態と前記非導通状態との間で切り替えることによって、前記データキャリア駆動装置から前記電流検出素子と前記第１の接点とを介して前記データキャリア装置に流れる電流を、前記整流平滑回路に流れる消費電流と、前記電流負荷に流れる変調電流を前記消費電流に加えた電流との間で切り替え、
前記第２の制御部は、
前記スイッチング素子による切り替えに応じて変化する、前記電流検出素子に流れる電流の検出結果に基づいて、前記アップリンク送信データを特定する
ことを特徴とする請求項１に記載のデータ通信システム。
【請求項３】
前記第１の制御部は、
前記データキャリア駆動装置に第１のデータを前記アップリンク送信データとして送信する場合には、前記パルス検出部によって検出される前記パルス電圧が前記ハイレベル電圧の期間内に前記スイッチング素子を前記導通状態とし、
前記データキャリア駆動装置に第２のデータを前記アップリンク送信データとして送信する場合には、前記パルス検出部によって検出される前記パルス電圧が前記ハイレベル電圧の期間内に前記スイッチング素子を前記非導通状態とし、
前記第２の制御部は、
前記データキャリア装置から前記アップリンク送信データが送信される際には、前記パルス電圧の１周期ごとのパルス幅を、前記第２のパルス幅よりも長い第３のパルス幅に設定するよう、前記パルス生成回路を制御する
ことを特徴とする請求項２に記載のデータ通信システム。
【請求項４】
前記第１の制御部は、
前記データキャリア駆動装置に前記アップリンク送信データを送信する場合、前記パルス検出部によって検出されるパルス電圧が、前記ローレベル電圧の期間と、当該ローレベル電圧の期間に続く前記ハイレベル電圧の期間とを、各データを送信するための送信周期として設定し、
前記データキャリア駆動装置に第１のデータを前記アップリンク送信データとして送信する場合には、前記送信周期において前記スイッチング素子を前記非導通状態とし、
前記データキャリア駆動装置に第２のデータを前記アップリンク送信データとして送信する場合には、前記ローレベル電圧の期間内に前記スイッチング素子を前記非導通状態から前記導通状態に切り替えるとともに、前記ハイレベル電圧の期間内に前記スイッチング素子を前記導通状態から前記非導通状態に切り替え、
前記第２の制御部は、
前記パルス生成回路によって生成されるパルス電圧が前記ローレベル電圧の期間における、前記電流検出素子に流れる電流の検出結果に基づいて、前記アップリンク送信データを特定する
ことを特徴とする請求項２に記載のデータ通信システム。
【請求項５】
前記第２の制御部は、
前記データキャリア装置から前記アップリンク送信データが送信される際には、前記パルス電圧の１周期ごとのパルス幅を、前記第１のパルス幅に設定するよう、前記パルス生成回路を制御する
ことを特徴とする請求項４に記載のデータ通信システム。
【請求項６】
前記パルス生成回路は、
一定レベルを維持する基準電圧を生成するとともに、前記基準電圧を基準として前記パルス電圧を生成し、
前記第２の接点を介して前記基準電圧を前記データキャリア装置へ出力するとともに、前記電流検出素子及び前記第１の接点を介して前記パルス電圧を前記データキャリア装置へ出力し、前記基準電圧を基準とした前記パルス電圧が前記整流平滑回路へ印加される
ことを特徴とする請求項１から５のいずれか１項に記載のデータ通信システム。
【請求項７】
前記第２の制御部は、前記データキャリア装置から前記データキャリア駆動装置へ前記アップリンク送信データが送信される際には、前記パルス電圧の１周期ごとのパルス幅を、前記第１のパルス幅及び前記第２のパルス幅よりも長い第３のパルス幅に設定するよう、前記パルス生成回路を制御する
ことを特徴とする請求項１に記載のデータ通信システム。
【請求項８】
データキャリア装置と第１及び第２の接点を介してデータ通信を行うデータキャリア駆動装置であって、
前記第１の接点を介して前記データキャリア駆動装置から前記データキャリア装置に流れる電流を、前記データキャリア装置から前記データキャリア駆動装置へのアップリンク送信データに対応する出力電流として検出するための電流検出素子と、
前記第２の接点を介して前記データキャリア装置に出力される電圧を基準電圧として、ハイレベル電圧とローレベル電圧とを周期的に繰り返すパルス電圧を生成し、前記電流検出素子と前記第１の接点とを介して前記データキャリア装置に出力するパルス生成回路と、
前記パルス電圧の１周期ごとのパルス幅を、前記データキャリア駆動装置から前記データキャリア装置へのダウンリンク送信データに応じて設定するよう、前記パルス生成回路を制御する制御部と、を備え、
前記制御部は、
前記データキャリア装置に第１のデータを前記ダウンリンク送信データとして送信する場合には、前記パルス幅を、前記１周期において、前記ハイレベル電圧の期間が前記ローレベル電圧の期間以上の長さになる第１のパルス幅に設定するよう、前記パルス生成回路を制御し、
前記データキャリア装置に第２のデータを前記ダウンリンク送信データとして送信する場合には、前記パルス幅を、前記１周期において、前記ハイレベル電圧の期間が前記ローレベル電圧の期間以上の長さになり、かつ、前記第１のパルス幅よりも長い第２のパルス幅に設定するよう、前記パルス生成回路を制御する
ことを特徴とするデータキャリア駆動装置。
【請求項９】
データキャリア駆動装置と第１及び第２の接点を介してデータ通信を行うデータキャリア装置であって、
前記第１の接点と前記第２の接点との間に直列に接続された整流素子及び容量素子を含み、前記第１の接点を介して前記データキャリア駆動装置から入力された、ハイレベル電圧とローレベル電圧とを周期的に繰り返すパルス電圧を整流及び平滑化して出力する整流平滑回路と、
前記データキャリア駆動装置から入力され、前記整流平滑回路に印加されている前記パルス電圧を検出するパルス検出部と、
前記整流平滑回路に接続され、当該整流平滑回路から出力される電圧を電源電圧として動作する制御部であって、前記パルス検出部によって検出された前記パルス電圧のパルス幅に基づいて、前記データキャリア駆動装置から前記データキャリア装置へのダウンリンク送信データを特定する、前記制御部と、
前記第１の接点と前記第２の接点との間に前記整流平滑回路と並列に接続された、電流負荷と、
前記第１の接点と前記第２の接点との間に、前記整流平滑回路と並列に接続され、かつ、前記電流負荷と直列に接続されており、導通状態と非導通状態との間で切替可能なスイッチング素子と、を備え、
前記制御部は、
前記データキャリア装置から前記データキャリア駆動装置へのアップリンク送信データを前記データキャリア駆動装置に送信する場合、前記パルス検出部によって検出されるパルス電圧が、前記ローレベル電圧の期間と、当該ローレベル電圧の期間に続く前記ハイレベル電圧の期間とを、各データを送信するための送信周期として設定し、
前記データキャリア駆動装置に第１のデータを前記アップリンク送信データとして送信する場合には、前記送信周期において前記スイッチング素子を前記非導通状態とし、
前記データキャリア駆動装置に第２のデータを前記アップリンク送信データとして送信する場合には、前記ローレベル電圧の期間内に前記スイッチング素子を前記非導通状態から前記導通状態に切り替えるとともに、前記ハイレベル電圧の期間内に前記スイッチング素子を前記導通状態から前記非導通状態に切り替える
ことを特徴とするデータキャリア装置。
【手続補正２】
【補正対象書類名】明細書
【補正対象項目名】００３４
【補正方法】変更
【補正の内容】
【００３４】
そこで、本実施形態では、図１に示すように、データキャリア装置１０３において、レギュレータ部５に代わる簡易な電圧生成回路として、整流用ダイオード１０９（整流素子）と平滑用コンデンサ１１０（容量素子）とから成る整流平滑回路１２０を用いる。図１に示すように、整流用ダイオード１０９及び平滑用コンデンサ１１０は、電極Ａ（第１の接点２００）と電極Ｂ（第２の接点３００）との間に直列に接続されている。整流平滑回路１２０は、整流用ダイオード１０９及び平滑用コンデンサ１１０の作用によって、データキャリア駆動装置１０２から入力されたパルス電圧を整流及び平滑化して出力する。整流平滑回路１２０に接続されたマイコン１１１及びメモリチップ１１２は、整流平滑回路１２０から出力される電圧を電源電圧として動作する。このように、整流平滑回路１２０は、２つの部品のみで構成可能であるため、そのサイズを小さいサイズに維持できる。